(57)【要約】【課題】  移動体を精密に一軸方向に移動させることが可能な融着機を提供する。【解決手段】  移動機構２０は、主に、送りねじ２１、駆動部２３、ナット部２５、弾性部材２７、移動体２９等から構成される。送りねじ２１は、両端がベアリング３９によって回転可能に支持される。送りねじ２１は、移動体２９を貫通する。移動体２９には、孔４１が設けられて、孔４１に送りねじ２１が挿通する。移動体２９の外面にはピン３５が固定される。移動体２９のピン３５の突出方向には、ナット部２５が配置される。また、移動体２９のナット部２５とは反対側の面には、弾性部材２７が配置される。ナット部２５は、送りねじ２１と螺合する。ナット部２５には、溝３３が形成される。溝３３には、移動体２９に固定されたピン３５が挿通される。【選択図】図２
2018163311.tif 000002
【特許請求の範囲】
【請求項１】
内部に移動機構を有し、光ファイバ同士を接続する融着機であって、
前記移動機構は、
両端が回転可能に支持される送りねじと、
前記送りねじを回転する駆動部と、
前記送りねじと螺合するナット部と、
前記ナット部へ弾性部材で押圧され、前記送りねじが貫通する移動体と、
前記移動体の移動方向を一軸方向に規制する移動方向規制部と、を具備し、
前記ナット部および前記移動部は、前記送りねじの回転方向への移動を規制する回転移動規制部を有することを特徴とする融着機。
【請求項２】
前記回転移動規制部は、前記ナット部と前記移動体のいずれか一方に設けられた溝または長穴と、他方に設けられたピンであり、前記ピンが前記溝または前記長穴に挿入され、
前記ピンは、前記溝または前記長穴によって、前記溝または前記長穴の短軸方向に対する移動が規制され、前記短軸方向と直交する長軸方向に対する移動が許容されることを特徴とする請求項１記載の融着機。
【請求項３】
前記移動方向規制部の移動軸方向と、前記送りねじの軸方向とが非平行であり、
前記送りねじと、前記移動体の孔とのクリアランスが、前記移動体の移動範囲において、前記送りねじと前記移動体とが接しない大きさであることを特徴とする請求項１または請求項２記載の融着機。
【発明の詳細な説明】
【技術分野】
【０００１】
本発明は、内部に移動機構を有し、光ファイバ同士を接続する融着機に関するものである。
【背景技術】
【０００２】
従来、光ファイバ同士の接続には、融着機が用いられる。融着機は、一対のホルダに保持された光ファイバ同士を突き合わせて電極間に配置し、アークによって光ファイバ同士の先端を融着して、光ファイバ同士を接続するものである。
【０００３】
融着機には、一部の構成を精度よく移動させるための移動機構が用いられる。例えば、焦点の調整のためのカメラの移動や、光ファイバの先端同士を突き合せるための光ファイバホルダの移動のための移動機構が融着機内に設けられる。
【０００４】
このような移動機構としては、例えば、光ファイバを保持したホルダを光ファイバの接続端面同士を近接させる方向に移動させるステージが用いられている（例えば、特許文献１参照）。
【０００５】
また、光ファイバを軸方向に移動させるステージの移動機構としては、移動台に配置された雌ねじ部材を送りねじである回転軸に螺合させ、モータを駆動して回転軸を回転させることで、移動台を回転軸に沿って移動させるものがある。（例えば、特許文献２参照）。
【先行技術文献】
【特許文献】
【０００６】
【特許文献１】特開２００３−１６７１５２号公報
【特許文献２】登録実用新案公報第３１８８９３４号
【発明の概要】
【発明が解決しようとする課題】
【０００７】
図５は、融着機における従来の移動機構１００を示す概略図である。移動機構１００は、ステージ１１１を精度よく一軸方向（図中Ｘ方向）に移動させるための機構である。送りねじ１０１は、両端部近傍がベアリング１０５で回転可能に支持される。送りねじ１０１は、駆動部１０３によってギアを介して回転する。
【０００８】
送りねじ１０１には、移動体１０９が螺合する。移動体１０９には、ステージ１１１が固定される。また、移動体１０９は、直動ベアリング１０７上で直線方向（図中Ｘ方向）に移動可能である。したがって、送りねじ１０１の回転にともなって、ステージ１１１は、直動ベアリング１０７上を一軸方向に移動する。
【０００９】
ここで、送りねじ１０１の軸方向と直動ベアリング１０７の移動方向は、一致する。したがって、送りねじ１０１と直動ベアリング１０７の距離は、移動体１０９の位置によらず一定となる。このため、移動体１０９が、その移動範囲内のいずれの位置にいても、送りねじ１０１の回転によって移動体１０９を確実に移動させることができる。
【００１０】
しかしながら、送りねじ１０１の回転軸と直動ベアリング１０７の移動方向とにずれがあり平行でない場合、移動体１０９の位置によって、送りねじ１０１と直動ベアリング１０７の距離が変化する。距離の変化が大きい場合、移動体１０９がその位置によって滑らかに移動しない場合や、移動不能となる場合がある。なお、機構部品の寸法精度の限界により、送りねじ１０１の回転軸と直動ベアリング１０７の移動方向を完全に一致させることは困難であり、高精度な調整を行った場合においても、実際には、送りねじ１０１の回転軸と直動ベアリング１０７の移動方向の平行度には３０μｍ〜５０μｍ程度の誤差が生じてしまう。
【００１１】
本発明は、前述した問題点に鑑みてなされたもので、移動体を精密に一軸方向に移動させることが可能な融着機を提供することを目的とする。
【課題を解決するための手段】
【００１２】
前述した目的を達成するために本発明は、内部に移動機構を有し、光ファイバ同士を接続する融着機であって、前記移動機構は、両端が回転可能に支持される送りねじと、前記送りねじを回転する駆動部と、前記送りねじと螺合するナット部と、前記ナット部へ弾性部材で押圧され、前記送りねじが貫通する移動体と、移動体の移動方向を一軸方向に規制する移動方向規制部と、を具備し、前記ナット部および前記移動体は、前記送りねじの回転方向への移動を規制する回転移動規制部を有することを特徴とする融着機である。
【００１３】
前記回転移動規制部は、前記ナット部と前記移動体のいずれか一方に設けられた溝または長穴と、他方に設けられたピンであり、前記ピンが前記溝または前記長穴に挿入され、前記ピンは、前記溝または前記長穴によって、前記溝または前記長穴の短軸方向に対する移動が規制され、前記短軸方向と直交する長軸方向に対する移動が許容されることが望ましい。
【００１４】
前記移動方向規制部の移動軸方向と、前記送りねじの軸方向とが非平行であり、前記送りねじと、前記移動体の孔とのクリアランスが、前記移動体の移動範囲において、前記送りねじと前記移動体とが接しない大きさであることが望ましい。
【発明の効果】
【００１５】
本発明によれば、移動体を精密に一軸方向に移動させることが可能な融着機を提供することができる。
【図面の簡単な説明】
【００１６】
【図１】融着機１を示す斜視図。
【図２】移動機構２０を示す図。
【図３】（ａ）は移動体２９を送りねじ２１の軸方向から見た図、（ｂ）はナット部２５を送りねじ２１の軸方向から見た図。
【図４】送りねじ２１が軸ずれしている場合を示す図であり、（ａ）は移動体２９を送りねじ２１の軸方向から見た図、（ｂ）はナット部２５を送りねじ２１の軸方向から見た図。
【図５】従来の移動機構１００を示す図。
【発明を実施するための形態】
【００１７】
以下、図面を参照しながら、本発明の実施形態について説明する。図１は、融着機１を示す斜視図である。融着機１は、光ファイバを保持するホルダが載置されるホルダ載置部９と、光ファイバの先端および電極棒７が配置されるベース部３と、ベース部３が保持される保持部材５と、蓋部１５等を具備する。
【００１８】
融着機１は、内部に移動機構を有し、一対の光ファイバを融着によって接続するものである。図示を省略した一対のホルダによって光ファイバを保持し、ホルダ載置部９にホルダが載置される。光ファイバをベース部３上のＶ溝に保持し、光ファイバの先端を突き合わせた状態で、一対の電極棒７の間にアークを発生させることで、光ファイバの先端部を溶融して接合することができる。
【００１９】
光ファイバ同士を融着する際には、ホルダ載置部９に設置した一対のホルダを移動させて、光ファイバ同士を突き合せる。このとき、光ファイバ同士の光軸を一致させることで、より低損失な接続が可能となるため、高い位置精度が要求される。そのため、光ファイバを保持したホルダを精度よく移動させるために、融着機１には移動機構が内蔵される。
【００２０】
なお、光ファイバの先端位置は、内部に配置されたカメラによって確認することができる。したがって、融着機１には、光ファイバ移動用の移動機構に加えて、カメラの焦点位置を調整するためのカメラやレンズの移動機構も内蔵される。
【００２１】
図２は、融着機１に用いられる移動機構２０を示す図である。移動機構２０は、主に、送りねじ２１、駆動部２３、ナット部２５、弾性部材２７、移動体２９等から構成される。移動機構２０は、前述したように、例えば、一対のホルダ載置部９を互いに近づける方向に移動させるための機構であってもよく、図示を省略した焦点調整のためのカメラやレンズの移動のための機構であってもよい。
【００２２】
送りねじ２１は、両端がベアリング３９によって回転可能に支持される。送りねじ２１は、軸方向の所定の範囲において外周に雄ねじが形成される。送りねじ２１の一端は、ギアを介して駆動部２３と接続される。送りねじ２１は、モータなどの駆動部２３によって正逆両方に回転する。
【００２３】
送りねじ２１は、移動体２９を貫通する。移動体２９の上方には、ステージ３１が固定される。また、移動体２９は、直動ベアリング３７に沿って移動可能である。すなわち、直動ベアリング３７は、移動体２９の移動方向を一軸方向に規制するものである。
【００２４】
図３（ａ）は、移動体２９を送りねじ２１の軸方向から見た図である。移動体２９には、孔４１が設けられて、孔４１に送りねじ２１が挿通される。なお、送りねじ２１の外径に対して、孔４１の内径は十分に大きい。したがって、孔４１の内面と送りねじ２１の外面との間には、クリアランスが形成される。
【００２５】
移動体２９の外面にはピン３５が固定される。ピン３５は、移動体２９の外面から、送りねじ２１の軸方向に突出する。移動体２９のピン３５の突出方向には、ナット部２５が配置される。また、移動体２９のナット部２５とは反対側の面には、弾性部材２７が配置され、移動体２９は、弾性部材２７によってナット部２５へ押圧される（図中矢印Ｂ方向）。したがって、移動体２９は、常にナット部２５と密着する。
【００２６】
図３（ｂ）は、ナット部２５を送りねじ２１の軸方向から見た図である。ナット部２５には雌ねじ部が設けられ、送りねじ２１と螺合する。ナット部２５には、溝３３が形成される。溝３３は、送りねじ２１の中心から見て、放射方向が長軸（深さ）方向となるように形成される。
【００２７】
溝３３には、移動体２９に固定されたピン３５が挿通される。溝３３の短軸（幅）方向（長軸方向と直交する方向）の大きさは、ピン３５の外径とほぼ一致する（溝３３の幅が、ピン３５が挿通可能な程度にわずかに大きい）。すなわち、ピン３５に対して、ナット部２５は、溝３３の短軸方向に対する移動が緩やかに規制され、短軸方向と直交する長軸方向に対する移動が許容される。なお、溝３３に代えて、長穴であってもよい。
【００２８】
次に、移動機構２０の動作について詳細に説明する。駆動部２３を動作させることで、ギアを介して送りねじ２１が回転する。送りねじ２１が回転しても、ナット部２５はピン３５によって回転が規制されているため、送りねじ２１の回転に伴って、ナット部２５が送りねじ２１の軸方向（図中矢印Ａ方向）に移動する。
【００２９】
なお、ナット部２５が移動体２９から離れる方向に移動すると、移動体２９は、弾性部材２７によってナット部２５へ押圧されているため、ナット部２５とともに移動体２９が移動する。一方、ナット部２５が移動体２９側へ移動すると、移動体２９は弾性部材２７に対抗してナット部２５とともに移動する。すなわち、移動体２９は、送りねじ２１の回転によって送りねじ２１に沿って移動する。
【００３０】
また、移動体２９は、直動ベアリング３７によって移動方向が規制される。すなわち、直動ベアリング３７は、移動体２９の移動方向を一軸方向に規制する移動方向規制部として機能する。このため、移動体２９は、ぶれることなく精度よく一軸方向にのみ移動する。
【００３１】
また、移動体２９の上部にはステージ３１が固定される。したがって、駆動部２３を動作させることで、ステージ３１を、精度よく確実に一軸方向（図中矢印Ｃ方向）にのみ往復動作させることができる。なお、移動体２９の移動方向を一軸方向に規制可能であれば、移動方向規制部としては、直動ベアリング３７でなくてもよい。
【００３２】
ここで、送りねじ２１の軸方向と直動ベアリング３７の移動軸方向とが完全に平行であれば、移動体２９の位置によらず、送りねじ２１と移動体２９の位置関係は図３（ａ）の状態となる。すなわち送りねじ２１と移動体２９の孔４１の中心がほぼ一致し、送りねじ２１と移動体２９の間に形成されるクリアランスの大きさが、送りねじ２１の外周においてほぼ一定となる。一方、送りねじ２１の軸方向と直動ベアリング３７の移動軸方向とが完全に平行でない場合には、移動体２９と送りねじ２１との位置関係が、移動体２９の位置によって変化する。
【００３３】
図４（ａ）、図４（ｂ）は、図３（ａ）、図３（ｂ）の状態に対して、送りねじ２１の位置が変化した状態を示す図である。図４（ａ）、図４（ｂ）における点線Ｄは、図３（ａ）、図３（ｂ）における送りねじ２１の位置を示し、図中Ｅは位置変化後の送りねじ２１の位置を示す。
【００３４】
前述したように、送りねじ２１の外径に対して移動体２９の孔４１の内径は十分に大きい。このため、送りねじ２１の軸位置がずれても、送りねじ２１が移動体２９と接触することがない。したがって、送りねじ２１と移動体２９とが干渉して、移動不能となることがない。
【００３５】
なお、送りねじ２１と移動体２９との接触を確実に避けるためには、送りねじ２１と、移動体２９の孔４１とのクリアランスを、送りねじ２１の位置変化量よりも大きくしなければならない。すなわち、送りねじ２１と、移動体２９の孔４１とのクリアランスを、移動体２９の移動範囲における、直動ベアリング３７の移動軸と送りねじ２１の軸とのずれ量よりも大きくし、送りねじ２１と移動体２９とが接しない大きさとする必要がある。
【００３６】
一方、ナット部２５は、送りねじ２１の位置の変化に伴って、位置および姿勢が変化する。この際、ピン３５は、溝３３の長軸方向に移動し、短軸方向の移動が規制されている。このため、ナット部２５は、わずかに傾きながら送りねじ２１の軸方向と垂直方向への位置変化に追従する。また、送りねじ２１が逆回転すると、ナット部２５は、逆方向に傾きながら送りねじ２１の位置変化に追従する。
【００３７】
なお、移動体２９は、弾性部材２７によってナット部２５へ押圧されて接触している。したがって、仮にナット部２５が移動体２９に対して自由に移動可能であると、移動体２９に対してナット部２５の送りねじ２１の軸方向と異なる方向（たとえば、送りねじ２１の回転方向）への移動量が大きくなり、移動体２９にも移動方向と異なる方向により大きな力がかかる。移動体２９の移動方向と異なる方向に力が付与されると、ステージ３１の移動位置の精度が悪くなる恐れがある。
【００３８】
これに対し、本実施形態では、ナット部２５は、移動体２９に対して、ピン３５と溝３３とによって、最小限の位置変化に抑制される。したがって、送りねじ２１と直動ベアリング３７の軸ずれがあった場合でも、ナット部２５の移動方向と異なる方向への移動が抑制され、移動体２９に対する移動方向以外の力が加わることを抑制することができる。このため、移動の位置精度を高めることができる。
【００３９】
以上説明したように、本実施の形態によれば、移動体２９に固定されたピン３５が、送りねじ２１と螺合するナット部２５に形成された溝または長穴に挿入される。また、ピン３５は、溝３３または長穴によって、溝３３等の短軸方向に対する移動が緩やかに規制され、短軸方向と直交する長軸方向に対する移動が許容される。これにより、移動体２９の移動方向を規制する移動方向規制部である直動ベアリング３７と送りねじ２１の軸方向とがずれている場合でも、ステージ３１の移動が妨げられることがなく、移動体２９を、移動方向と異なる方向への微細な変動をさせることなく精密に前後進させることができる。
なお、融着接続における光ファイバの軸合わせには、０．１μｍ単位の調整が必要であるが、本実施の形態によれば、このような精密な移動を実現できる。
【００４０】
このように、ナット部２５および移動体２９は、送りねじ２１の回転方向（軸方向と異なる方向）への移動を規制する回転移動規制部を有するため、直動ベアリング３７と送りねじ２１の軸方向とが非平行である場合でも、ステージ３１の移動が妨げられることがない。
【００４１】
なお、上述した実施形態では、ナット部２５に溝３３又は長穴を形成し、移動体２９にピン３５を設けたが本発明はこれに限られない。例えば、ナット部２５にピン３５を形成し、移動体２９に溝３３又は長穴を形成してもよい。すなわち、回転移動規制部は、ナット部２５と移動体２９のいずれか一方に設けられた溝３３または長穴と、他方に設けられたピン３５とで構成され、ピン３５が溝３３等に挿入されればよい。
【００４２】
また、送りねじ２１と、移動体２９の孔４１とのクリアランスが、移動体２９の移動範囲における、直動ベアリングの移動軸と送りねじの軸とのずれ量より大きいため、移動体２９の孔４１の内面と送りねじ２１の外周面との接触を防ぐことができ、移動体２９を滑らかに移動させることができる。
【００４３】
例えば、ステージ３１が光ファイバを突き合せる際の移動部であれば、精度よく光ファイバを移動させることができる。また、ステージ３１が光ファイバの接続部を撮像するカメラであれば、精度よく焦点を合わせることができる。
【００４４】
以上、添付図を参照しながら、本発明の実施の形態を説明したが、本発明の技術的範囲は、前述した実施の形態に左右されない。当業者であれば、特許請求の範囲に記載された技術的思想の範疇内において各種の変更例または修正例に想到し得ることは明らかであり、それらについても当然に本発明の技術的範囲に属するものと了解される。
【００４５】
例えば、弾性部材２７、ナット部２５、移動体２９の位置関係は図示した例には限られない。移動体２９に対するナット部２５と弾性部材２７の位置関係が逆側であってもよい。
【符号の説明】
【００４６】
１………融着機
３………ベース部
５………保持部材
７………電極棒
９………ホルダ載置部
１５………蓋部
２０………移動機構
２１………送りねじ
２３………駆動部
２５………ナット部
２７………弾性部材
２９………移動体
３１………ステージ
３３………溝
３５………ピン
３７………直動ベアリング
３９………ベアリング
４１………孔
１００………移動機構
１０１………送りねじ
１０３………駆動部
１０５………ベアリング
１０７………直動ベアリング
１０９………移動体
１１１………ステージ
【図１】
2018163311.tif 000003
【図２】
2018163311.tif 000004
【図３】
2018163311.tif 000005
【図４】
2018163311.tif 000006
【図５】
2018163311.tif 000007